(57)【要約】【課題】シートの充填作業性がよく、しかもシート枚数が多量である処方が施されたときにも、払出作業を効率よく行うことができる調剤装置及びその使用方法を提供する。【解決手段】この調剤装置１は、表面側に錠剤入りのポケットを配列したＰＴＰ錠剤シート９００，９００，・・・を収納可能な錠剤カセット５００と、この錠剤カセット５００に収納されたＰＴＰ錠剤シート９００，９００，・・・を外部に取り出す取り出しユニット４００とを備え、錠剤カセット５００内に、ＰＴＰ錠剤シート９００，９００，・・・のポケット同士が重ならないようにして、その表面側同士を対向配置することにより、２枚ずつセットにして収納しておき、取り出しユニット４００は、この２枚ずつのセットにしたＰＴＰ錠剤シート９００，９００，・・・を、セット単位、あるいは、セットの倍数単位で、錠剤カセット５００の外部に取り出すように構成したものである。【選択図】図２
2010207359.tif 000002
【特許請求の範囲】
【請求項１】
一面側に錠剤入りのポケットを配列した錠剤シートを収納可能な錠剤カセットと、この錠剤カセットに収納された錠剤シートを外部に取り出す取り出しユニットとを備えた調剤装置であって、
前記錠剤カセット内に、前記錠剤シートの一面側同士を互いのポケット同士が重ならない状態で対向配置することにより、該錠剤シートを２枚ずつのセットにして収納しておき、
前記取り出しユニットは、この２枚ずつのセットにして収納した錠剤シートを、該セット単位、あるいは、該セットの倍数単位で、前記錠剤カセットの外部に取り出すように構成したことを特徴とする調剤装置。
【請求項２】
前記錠剤シートのセットを、横向き姿勢として錠剤カセットの上下方向に重ねて収納するように構成したことを特徴とする請求項１記載の調剤装置。
【請求項３】
前記取り出しユニットは、錠剤カセットの最下位置にある前記錠剤シートのセットから順に取り出すように構成したことを特徴とする請求項２記載の調剤装置。
【請求項４】
前記錠剤シートの長手方向の一端側に耳部を備えており、前記セットを構成する２枚の錠剤シート同士は、該耳部を前記長手方向で互いに逆向きにした状態で前記錠剤カセット内に収納されるように構成したことを特徴とする請求項１〜３のいずれ１項に記載の調剤装置。
【請求項５】
前記錠剤カセットを、多段に形成されたカセット棚の所定位置に着脱可能に固定するとともに、前記取り出しユニットを、この錠剤カセットの対向位置に移動させて、該錠剤カセットからの錠剤シートを、前記セット単位、あるいは、該セットの倍数単位で取り出すように構成したことを特徴とする請求項１〜４のいずれか１項に記載の調剤装置。
【請求項６】
一面側に錠剤入りのポケットを配列した錠剤シートを収納可能な錠剤カセットと、この錠剤カセットに収納された錠剤シートを外部に取り出す取り出しユニットとを備えた調剤装置の使用方法であって、
前記錠剤カセット内に、前記錠剤シートの一面側同士を互いのポケット同士が重ならない状態で対向配置することにより、該錠剤シートを２枚ずつのセットにして収納しておく第一工程と、
前記取り出しユニットは、この２枚ずつのセットにして収納した錠剤シートを、該セット単位、あるいは、該セットの倍数単位で、前記錠剤カセットの外部に取り出す第二工程とを備えたことを特徴とする調剤装置の使用方法。
【発明の詳細な説明】
【技術分野】
【０００１】
本発明は、調剤装置及びその使用方法に関し、特にＰＴＰ（プレス  スルー  パッケージ）錠剤シートと呼ばれる包装形式の錠剤を、錠剤カセットに入れて自動的に払い出す調剤装置及びその使用方法に関するものである。
【背景技術】
【０００２】
従来、病院等の薬局における調剤作業は薬剤師が医師の処方箋に従って行っているが、特に診療分野が広い総合病院等にあっては、常時取り出し可能にしておく錠剤の種類が多くなり、保管場所を必要とするばかりか、処方箋に基づいて調剤する作業は非常に精神的、肉体的に負担を強いられるものであった。
【０００３】
そこで、予め設定したプログラムに基づいて所定の錠剤の所定個数分を、ＰＴＰ錠剤シートの端数分を含めて自動的に払い出す調剤装置が開発された（例えば特許文献１，２参照）。なお、ＰＴＰ錠剤シートとは、錠剤側を押圧することで底のアルミシート部分を破ることにより錠剤を取り出すようにした包装形式であり、一般には錠剤の１０個以上を１枚のシート状にして供給されるものである。
【０００４】
従来の調剤装置では、複数枚のＰＴＰ錠剤シートを上下方向に重ねて錠剤カセット内に収納しておき、最下位置のＰＴＰ錠剤シートを１枚ずつ払い出すように構成されていた。
【発明の概要】
【発明が解決しようとする課題】
【０００５】
図７はＰＴＰ錠剤シート９００の一般的な構成を示す図であって、（ａ）は平面図、（ｂ）は側面図である。
【０００６】
図７（ａ）（ｂ）に示すように、ＰＴＰ錠剤シート９００の表面９１０には、それぞれ錠剤を封入したポケット９２０が形成されており、前記錠剤カセット内には、このポケット９２０が上を向くようにして、各ＰＴＰ錠剤シート９００が収納されるようになっており、その長手方向の一端側には、チャッキング装置でチャッキングするための耳部９３０が設けられているのが通常であった。
【０００７】
そして、ＰＴＰ錠剤シート９００は、製造元などで箱に収納されて販売されており、この箱から取り出されて錠剤カセットに充填される。箱には、ポケット形成面が向かい合うようにして、ＰＴＰ錠剤シート９００が収納されている。このため、従来の調剤装置では、ＰＴＰ錠剤シート９００を箱から錠剤カセットに移すときに、ＰＴＰ錠剤シート９００の向きを揃える作業が必要になり、手間がかかるといった問題があった。
【０００８】
また、従来の調剤装置では、すべてのＰＴＰ錠剤シート９００をそのポケット９２０が上向きとなるように揃えているので、錠剤カセット内での収納枚数が少ない。このため、ＰＴＰ錠剤シート９００の錠剤カセットへの充填を頻繁に行う必要があり、シート枚数が多量である処方が施されたときには、このＰＴＰ錠剤シート９００の錠剤カセットへの充填のために払出作業を中断することになりかねないといった問題があった。
【０００９】
さらに、従来の調剤装置では、錠剤カセットから、ＰＴＰ錠剤シート９００を１枚ずつ払い出しているので、ＰＴＰ錠剤シート９００の払出速度が遅い。このため、シート枚数が多量である処方が施されたときには、払出作業に時間がかかるといった問題もあった。
【００１０】
本発明は、このような事情に鑑みてなされたもので、シートの充填作業性がよく、しかもシート枚数が多量である処方が施されたときにも、シートの払出作業を効率よく行うことができる調剤装置及びその使用方法を提供することを目的とする。
【課題を解決するための手段】
【００１１】
本発明は、一面側に錠剤入りのポケットを配列した錠剤シートを収納可能な錠剤カセットと、この錠剤カセットに収納された錠剤シートを外部に取り出す取り出しユニットとを備えた調剤装置であって、前記錠剤カセット内に、前記錠剤シートの一面側同士を互いのポケット同士が重ならない状態で対向配置することにより、該錠剤シートを２枚ずつのセットにして収納しておき、前記取り出しユニットは、この２枚ずつのセットにして収納した錠剤シートを、該セット単位、あるいは、該セットの倍数単位で、前記錠剤カセットの外部に取り出すように構成したことを特徴とするものである。
【００１２】
本発明によれば、前記錠剤カセット内に、前記錠剤シートの一面側同士を互いのポケット同士が重ならない状態で対向配置することにより、該錠剤シートを２枚ずつのセットにして収納しておくので、錠剤シートを箱から錠剤カセットに移すときに、錠剤シートの向きを揃える作業が不要であり、シートの充填作業性がよい。
【００１３】
また、前記セットを構成する錠剤シート間の隙間が小さくなるので、その分だけ錠剤カセット内での錠剤シートの収納枚数が多くなる。したがって、錠剤シートの錠剤カセットへの充填を頻繁に行う必要がなくなり、シート枚数が多量である処方が施されたときにも、この錠剤シートの錠剤カセットへの充填のために払出作業を中断することが少なくなる。
【００１４】
さらに、前記取り出しユニットは、この２枚ずつのセットにして収納した錠剤シートを、該セット単位、あるいは、該セットの倍数単位で、前記錠剤カセットの外部に取り出すように構成したものであるので、錠剤シートの錠剤カセットからの払出速度が速くなる。このため、シート枚数が多量である処方が施されたときにも、払出作業に時間があまりかかなくなる。
【００１５】
請求項２記載の発明のように、前記錠剤シートのセットを、横向き姿勢として錠剤カセットの上下方向に重ねて収納するように構成することが好ましい。
【００１６】
請求項２記載の発明によれば、前記錠剤シートのセットを、横向き姿勢として錠剤カセットの上下方向に重ねて収納するので、その収納の際に、錠剤シートがひとりでに倒れてくることがない。したがって、安定した状態で錠剤カセット内に錠剤シートをほぼ隙間のなく詰め込むことができるから、シートの充填作業性がよくなり、錠剤カセット内での収納枚数が多くなる。
【００１７】
請求項３記載の発明のように、前記取り出しユニットは、錠剤カセットの最下位置にある前記錠剤シートのセットから順に取り出すように構成することが好ましい。
【００１８】
請求項３記載の発明によれば、前記取り出しユニットは、錠剤カセットの最下位置にある前記錠剤シートのセットから順に取り出すので、錠剤カセット内での錠剤シートのセットの送り込みと、取り出しユニットでの錠剤シートのセットの取り出しには、いずれも重力を利用することができる。したがって、錠剤カセットと取り出しユニットとの両方を、比較的簡単でかつ安価な構成とするとともに、故障の少ない構成とすることができる。
【００１９】
請求項４記載の発明のように、前記錠剤シートの長手方向の一端側に耳部を備えており、前記セットを構成する２枚の錠剤シート同士は、該耳部を前記長手方向で互いに逆向きにした状態で前記錠剤カセット内に収納されるように構成することが好ましい。
【００２０】
請求項４記載の発明によれば、前記錠剤シートの長手方向の一端側に耳部を備えており、前記セットを構成する２枚の錠剤シート同士は、該耳部を前記長手方向で互いに逆向きにした状態で前記錠剤カセット内に収納されるので、錠剤シートの一端側と他の錠剤シートの他端側との位置を揃えることができる。したがって、錠剤カセット内に錠剤シートをほぼ隙間のなく詰め込むことができるから、錠剤カセットの小型化を図ることができるとともに、取り出しユニットでの錠剤シートのセット毎の取り出し時間がほぼ一定となるから、その取り出し作業が容易となり、錠剤シートの払出速度が速くなる。
【００２１】
請求項５記載の発明のように、前記錠剤カセットを、多段に形成されたカセット棚の所定位置に着脱可能に固定するとともに、前記取り出しユニットを、この錠剤カセットの対向位置に移動させて、該錠剤カセットからの錠剤シートを、前記セット単位、あるいは、該セットの倍数単位で取り出すように構成されていることが好ましい。
【００２２】
請求項５記載の発明によれば、前記錠剤カセットを、多段に形成されたカセット棚の所定位置に着脱可能に固定するとともに、前記取り出しユニットを、この錠剤カセットの対向位置に移動させて、該錠剤カセットからの錠剤シートを、前記セット単位、あるいは、該セットの倍数単位で取り出すように構成されているので、取り出しユニットで、多数の錠剤カセットから所望の錠剤シートを素早く払い出すことができる。したがって、効率的な払出作業を実現できるようになる。
【００２３】
請求項６記載の発明は、一面側に錠剤入りのポケットを配列した錠剤シートを収納可能な錠剤カセットと、この錠剤カセットに収納された錠剤シートを外部に取り出す取り出しユニットとを備えた調剤装置の使用方法であって、前記錠剤カセット内に、前記錠剤シートの一面側同士を互いのポケット同士が重ならない状態で対向配置することにより、該錠剤シートを２枚ずつのセットにして収納しておく第一工程と、前記取り出しユニットは、この２枚ずつのセットにして収納した錠剤シートを、該セット単位、あるいは、該セットの倍数単位で、前記錠剤カセットの外部に取り出す第二工程とを備えたことを特徴とするものである。
【００２４】
請求項６記載の発明によれば、前記錠剤カセット内に、前記錠剤シートの一面側同士を互いのポケット同士が重ならない状態で対向配置することにより、該錠剤シートを２枚ずつのセットにして収納しておく第一工程と、前記取り出しユニットは、この２枚ずつのセットにして収納した錠剤シートを、該セット単位、あるいは、該セットの倍数単位で、前記錠剤カセットの外部に取り出す第二工程とを備えたので、上記本発明の装置において記載したのと同様の作用効果を奏することができる。
【発明の効果】
【００２５】
本発明によれば、前記錠剤カセット内に、前記錠剤シートの一面側同士を互いのポケット同士が重ならない状態で対向配置することにより、該錠剤シートを２枚ずつのセットにして収納しておくので、錠剤シートを箱から錠剤カセットに移すときに、錠剤シートの向きを揃える作業が不要であり、シートの充填作業性がよい。
【００２６】
また、前記セットを構成する錠剤シート間の隙間が小さくなるので、その分だけ錠剤カセット内での錠剤シートの収納枚数が多くなる。したがって、錠剤シートの錠剤カセットへの充填を頻繁に行う必要がなくなり、シート枚数が多量である処方が施されたときにも、この錠剤シートの錠剤カセットへの充填のために払出作業を中断することが少なくなる。
【００２７】
さらに、前記取り出しユニットは、この２枚ずつのセットにして収納した錠剤シートを、該セット単位、あるいは、該セットの倍数単位で、前記錠剤カセットの外部に取り出すように構成したものであるので、錠剤シートの錠剤カセットからの払出速度が速くなる。このため、シート枚数が多量である処方が施されたときにも、払出作業に時間があまりかかなくなる。
【図面の簡単な説明】
【００２８】
【図１】本発明の一実施形態に係る調剤装置の主たる構成要素を示す分解斜視図である。
【図２】錠剤カセットの構成を示す正面図である。
【図３】錠剤カセットの構成を示す側面図である。
【図４】錠剤カセットの本体下部の構成を示す模式図である。
【図５】取り出しユニットの構成を示す平面図である。
【図６】錠剤カセット内に積載されたＰＴＰ錠剤シートを模式的に示す図であって、（ａ）はＰＴＰ錠剤シートを充填したときの状態を示す側断面図、（ｂ）は（ａ）のＰＴＰ錠剤シートを取り出すときの状態を示す側断面図である。
【図７】ＰＴＰ錠剤シートの構成を示す図であって、（ａ）は平面図、（ｂ）は側面図である。
【発明を実施するための形態】
【００２９】
図１は本発明の一実施形態に係る調剤装置１の主たる構成要素を示す分解斜視図である。
【００３０】
図１に示すように、この調剤装置１は、箱状の装置本体１００の奥側左右に２台設けられたＹキャリッジ２００，２００と、これらのＹキャリッジ２００，２００にそれぞれ支持されたＸキャリッジ３００，３００と、これらのＸキャリッジ３００，３００にそれぞれ支持された取り出しユニット４００，４００と、前記装置本体１００の手前側左右に２台設けられ、複数の錠剤カセット５００，５００，・・・を左右方向に並べて搭載可能なカセット棚６００，６００と、左右のカセット棚６００，６００の下方に、両カセット棚６００，６００の左右両端間に亘って配置された１台の搬送コンベアユニット８００とを備えている。
【００３１】
以下、複数存在する構成要素については、その代表的なものについて説明する。Ｙキャリッジ２００は、サーボモータ２１０と、このサーボモータ２１０で駆動される縦軸方向（図１中のＹ方向）のボールネジ２２０と、ボールネジ２２０の左右にそれぞれ配置された縦ガイド２３０，２３０と、ボールネジ２２０の回転により上下動するナット２４０とを備えており、Ｘキャリッジ３００は、縦ガイド２３０，２３０に案内されつつ、ボールネジ２２０の回転によりナット２４０とともに上下動するキャリッジ本体３１０と、このキャリッジ本体３１０上に、サーボモータ４１０と、このサーボモータ４１０で駆動される横軸方向（図１中のＸ方向）のボールネジ４１５と、図示しないナットとを備えている。
【００３２】
図２は錠剤カセット５００の構成を示す正面図、図３は図２の側面図、図４は錠剤カセット５００の本体下部５４０の構成を示す模式図である。なお、各図中では、特にことわらない限り、錠剤カセット５００の取り出しユニット４００に対向する正面側を前側、その背面側を後側といい、左側と右側とは前側から後側を見たときのものを示している。図２では、錠剤カセット５００におけるカセット棚６００の棚板６０２への取り付け部分の表示を省略している。
【００３３】
本実施形態における錠剤カセット５００は、積載される各種ＰＴＰ錠剤シート（錠剤シートに相当する。）９００よりも若干幅広に形成されている。したがって、錠剤カセット５００としては、各種ＰＴＰ錠剤シート９００の有する幅に応じて、幅寸法のみが異なるものが複数用意される。それらの具体的な構成は、いずれも図２及び図３に示すように、断面凹状をなす長尺のカセット基部５１０と、このカセット基部５１０の長手方向から着脱自在に嵌合されるカセット本体５２０とからなっている。
【００３４】
カセット基部５１０の底板５１１の裏面側には、図３に示すように、側面視Ｌ字状の突起５１２，５１２が前後（及び左右）にそれぞれ形成され、その底板５１１の後端は上方に屈曲されて弾性を有する舌片５１３が形成されている。そして、この突起５１２，５１２がカセット棚６００の棚板６０２の前側と後側とでそれぞれ係合され、かつ、舌片５１３が棚板６０２の後端に備えたクランプ６０４で押圧されることで、錠剤カセット５００がカセット棚６００の棚板６０２上に着脱自在に固定されるようになっている。これにより、幅寸法の異なる錠剤カセット５００であっても、その幅方向で任意の位置に配置することができるようになる。
【００３５】
カセット本体５２０は、さらに複数のＰＴＰ錠剤シート９００，９００，・・・を横向きにして積載可能な本体上部５３０と、この本体上部５３０の下部にあって、前記カセット基部５１０内に取り付けられた本体下部５４０とからなっている。
【００３６】
本体下部５４０は、カセット本体５２０のカセット基部５１０への組み立て状態で、該カセット基部５１０の左右下部側壁５１６，５１７内に埋没して配置されるものであるが、その単体で見ると、図２に示すように、断面凹状の長尺形状をなした筐体内に前記本体上部５３０の一番下とその直ぐ上にセットで積載されたＰＴＰ錠剤シート９００，９００を順次に取り出すための押出機構５５０を備えている。
【００３７】
この押出機構５５０は、図３及び図４に示すように、前記本体下部５４０の右壁５４１の上段部分において前後方向に向けてスライド自在に取り付けられた第一スライド部材５５０１と、左壁５４２の下段部分において前後方向に向けて固定された固定部材５５０２と、左右両壁５４１，５４２間において前後方向に向けてスライド自在に設けられた第二スライド部材５５０３と、第二スライド部材５５０３の右側に固定され第二スライド部材５５０３とともにスライドする第三スライド部材５５０４とが備えらえており、第一スライド部材５５０１の下面に形成されたラック５５０５に噛合される第一ピニオン５５０６と、第三スライド部材５５０４の上面に形成されたラック５５０７に噛合される第二ピニオン５５０８とが同軸に固定されている。なお、第三スライド部材５５０４は、第一バネ５５０４ａを介して本体下部５４０に係止されている。
【００３８】
したがって、第一スライド部材５５０１が後向き（図４中のＡ方向）に押圧されると、そのラック５５０５に噛合される第一ピニオン５５０６が横軸回り（図４中のＢ方向）に回転されるとともに、第二ピニオン５５０８が同方向に回転され、この第二ピニオン５５０８に噛合されるラック５５０７を有する第三スライド部材５５０４が第一バネ５５０４ａによる弾性付勢力に抗して前向き（図４中のＣ方向）にスライドされるが、このときのスライド速度は、第一、第二ピニオン５５０６，５５０８間の歯数比で増速される。
【００３９】
また、第二スライド部材５５０３の前後には、それぞれ外歯が形成された前ローラ５５０９と後ローラ５５１０とがともに縦軸回りに回転自在に取り付けられている。両ローラ５５０９，５５１０間には、内歯が形成されたゴムベルト５５１１が無限軌道状に巻き掛けられており、両ローラ５５０９，５５１０にそれぞれ噛合した状態となっている。ゴムベルト５５１１の中間部分には、縦向きの中間部材５５１２の下端部分が当接してゴムベルト５５１１とともに前後方向に移動されるようになっている。後ローラ５５１０と同軸に第三ピニオン５５１３が取り付けられており、第三ピニオン５５１３が固定部材５５０２の側面に形成されたラック５５１４に噛合されている。
【００４０】
したがって、第二スライド部材５５０３が前記Ｃ方向にスライドされると、固定部材５５０２のラック５５１４に噛合される第三ピニオン５５１３が縦軸回り（図４中のＤ方向）に回転されるとともに、後ローラ５５１０が同方向に回転され、さらにゴムベルト５５１１を介して前ローラ５５０９が同方向に回転される。すると、ゴムベルト５５１１に固定された中間部材５５１２が前向き（図４中のＥ方向）にスライドされる。
【００４１】
また、中間部材５５１２の上端部分には、前記一番下に積載されたＰＴＰ錠剤シート９００を押し出すための押出部材５５１５が図示しない第二バネにより弾性付勢されて前後方向に起伏可能に立設されており、前記中間部材５５１２とともに前記Ｅ方向にスライドされるが、このときのスライド速度は、第三ピニオン５５１３と後ローラ５５１０との歯数比でもって、さらに増速される。
【００４２】
その結果、前記取り出しユニット４００のプッシャ４４０で第一スライド部材５５０１が本体下部５４０内に押し込まれると、その押し込み速度の２〜３倍の速度でもって移動する押出部材５５１５でＰＴＰ錠剤シート９００が本体下部５４０の前端付近にまで押し出されるようになっている。
【００４３】
本体上部５３０は、図２及び図３に示すように、カセット本体５２０のカセット基部５１０への組み立て状態で、中間部から前部にかけてカセット基部５１０の左右下部側壁５１６，５１７の上方に突出して配置される側面視Ｌ字状をなしており、当該突出させた左右両側壁５３１１，５３１２が前端で互いに内側に屈曲されることにより、所定の間隙を介して対向配置されることで、前壁５３１を形成している。左右両側壁５３１１，５３１２の上端同士は補強板５３２で互いに連結されている。
【００４４】
前壁５３１には、上下方向の位置調整が可能な仕切部材５３１３を備えており、この仕切部材５３１３の位置調整により、本体上部５３０内に積載されたＰＴＰ錠剤シート９００，９００，・・・の外部への取り出し枚数を、例えば２枚ずつのセットごとに規制することができるようになっている。
【００４５】
左右両側壁５３１１，５３１２の後端から前方に向けては、それぞれが先上がりとなるように部分的に切り欠いており、ここでは左側壁５３１１を右側壁５３１２より大きく切り欠いている。このため、錠剤カセット５００の前後方向に本体上部５３０をスライドさせて後方に引き出した上、この本体上部５３０の左側壁５３１１の切り欠かれた部分からＰＴＰ錠剤シート９００を搬入して左側壁５３１２で案内することで、そのＰＴＰ錠剤シート９００を錠剤カセット５００の本体上部５３０に充填等しやすくなっている。
【００４６】
また、錠剤カセット５００の本体上部５３０をスライドさせて前方の位置に戻したときに、その左右両側壁５３１１，５３１２の切り欠かかれた部分を覆うように、前記カセット基部５１０の左右下部側壁５１６，５１７が上方に延設されて左右上部側壁５１６ａ，５１７ａが形成されている。これにより、ＰＴＰ錠剤シート９００を錠剤カセット５００の本体上部５３０に充填した後に、その本体上部５３０をスライドさせて前方に戻したときに、左右上部側壁５１６ａ，５１７ａでＰＴＰ錠剤シート９００の姿勢を揃えるようになっている。
【００４７】
本体上部５３０の後部には、棒状部材５３３が起伏可能に立設されており、ＰＴＰ錠剤シート９００，９００，・・・の充填時に倒伏させて、前記前壁５３１間にＰＴＰ錠剤シート９００，９００，・・・を挟み込んだ状態で、この棒状部材５３３を起立させることで、各ＰＴＰ錠剤シート９００，９００，・・・を整列させるようになっている。このときの状態は、前記図３に示したとおりである。
【００４８】
図５は取り出しユニット４００の構成を示す平面図である。
【００４９】
取り出しユニット４００は、図１及び図５に示すように、キャリッジ本体３１０から前方（図１中のＺ方向）に延びるＺキャリッジ４１１，４１１（図１中では手前側を図示省略している。）と、Ｚキャリッジ４１１，４１１間で進退自在かつ開閉自在に配置された払出板４３０，４３０と、払出板４３０，４３０の前記錠剤カセット５００に対向する側に配置されたプッシャ４４０，４４０とを備えている。
【００５０】
そして、払出板４３０，４３０の進退動作は、サーボモータ４２０で図略のボールネジを回転駆動することにより行い、その開閉動作は、ステッピングモータ４３４で歯車列４３５を介して、回転軸４３７，４３７を互いに内向きに回転駆動することにより行うような構成となっている。払出板４３０，４３０の下部には、一次バケット４５０が設けられており、この一次バケット４５０の下方には、さらにシャッター４７０付きの二次バケット４８０が設けられている。
【００５１】
以下、本調剤装置１による錠剤カセット５００からのＰＴＰ錠剤シート９００，９００，・・・の払出動作を概略説明する。図６は錠剤カセット５００内に積載されたＰＴＰ錠剤シート９００，９００，・・・を模式的に示す図であって、（ａ）はＰＴＰ錠剤シート９００，９００，・・・を充填したときの状態を示す側断面図、（ｂ）は（ａ）のＰＴＰ錠剤シート９００，９００，・・・を取り出すときの状態を示す側断面図である。
【００５２】
いま、図６（ａ）に示すように、錠剤カセット５００内に各ＰＴＰ錠剤シート９００，９００，・・・を、ポケット９２０，９２０，・・・が交互に上下となるように２枚ずつセット（市販の箱から取り出したままの状態であり、その上下のＰＴＰ錠剤シート９００，９００間で、耳部９３０，９３０が前後逆向きで、かつ、表裏逆向きとなっている。）にして積載しておき、押出部材５５１５は、起立して、この最下位置のＰＴＰ錠剤シート９００の後端に当接するようになっているものとする。
【００５３】
このとき、取り出しユニット４００は、錠剤カセット５００の正面側に対向する位置にあって、その払出板４３０，４３０は、プッシャ４４０，４４０とともに水平姿勢となっているものとする。
【００５４】
まず、取り出しユニット４００のサーボモータ４２０を駆動させることにより、払出板４３０，４３０を錠剤カセット５００の正面側に向かって移動させる。やがて払出板４３０，４３０のプッシャ４４０，４４０の一方が、直接に錠剤カセット５００の第一スライド部材５５０１を押圧するようになる。すると、前記押出機構５５０の働きでもって、図６（ａ）における押出部材５５１５が前向きに移動し、図６（ｂ）における押出部材５５１５の状態となる。
【００５５】
各ＰＴＰ錠剤シート９００，９００，・・・は、シート幅方向に複数のポケット９２０，９２０，・・・が列設されており、前記セットとされる上下のＰＴＰ錠剤シート９００，９００間は前記ポケット同士９２０，９２０が当接している。したがって、前記最下位置のＰＴＰ錠剤シート９００が押出部材５５１５により押し出されると、該最下位置のＰＴＰ錠剤シート９００とセットとなる、直上のＰＴＰ錠剤シート９００も同時に押し出される。
【００５６】
しかし、さらに上のＰＴＰ錠剤シート９００は、錠剤カセット５００の前壁５３１の仕切部材５３１３に当接して、その錠剤カセット５００の本体上部５３０内にとどまることになるから、押出部材５５１５で押し出すのは、最下位置から２枚のＰＴＰ錠剤シート９００，９００のみとなる。
【００５７】
そして、押出部材５５１５で押し出された２枚のＰＴＰ錠剤シート９００，９００は、取り出しユニット４００の払出板４３０，４３０上に重力落下することになる。このようにして、取り出しユニット４００でこのＰＴＰ錠剤シート９００，９００を払い出して、錠剤カセット５００から取り出すことができる。
【００５８】
ついで、ステッピングモータ４３４を駆動することにより、払出板４３０，４３０を回転軸４３７，４３７回りに互いに逆向きに回転させて下方に開くと、前記錠剤カセット５００から取り出されたＰＴＰ錠剤シート９００，９００を一次バケット４５０内に落下させることができる。Ｘキャリッジ３００と、Ｙキャリッジ２００とを用いてこの一次バケット４５０を二次バケット４８０上に移動させる。
【００５９】
そして、一次バケット４５０の図示しない底部シャッターを開口して、ＰＴＰ錠剤シート９００，９００を二次バケット４８０内に落下させる。ついで、二次バケット４８０の底部シャッター４７０を開口して、ＰＴＰ錠剤シート９００，９００を搬送コンベアユニット８００上に落下させる。
【００６０】
搬送コンベアユニット８００は、ローラ群等８０１と、このローラ群等８０１で前後・左右方向に移動される錠剤取出バケット８０２，８０２とを備えている。そして、前記二次バケット４８０からシャッター４７０を介して落下したＰＴＰ錠剤シート９００，９００は、ローラ群等８０１で前後・左右方向に移動され、錠剤取出バケット８０２，８０２のいずれかに落下されるようになっている。
【００６１】
錠剤取出バケット８０２，８０２のいずれかに落下したＰＴＰ錠剤シート９００，９００は、この錠剤取出バケット８０２，８０２内に収納された状態でさらに所定の部位に移動され、そこから外部に払い出されるようになっている。
【００６２】
以上説明したように、本実施形態によれば、錠剤カセット５００内に、ＰＴＰ錠剤シート９００，９００，・・・の表面９１０のポケット９２０，９２０，・・・同士が重ならないようにして、該表面９１０同士を対向配置することにより、２枚ずつセットにして収納しておくので、ＰＴＰ錠剤シート９００，９００，・・・を箱から錠剤カセット５００に移すときに、ＰＴＰ錠剤シート９００，９００，・・・の向きを揃える作業が不要であり、ＰＴＰ錠剤シート９００，９００，・・・の錠剤カセット５００への充填作業性がよい。
【００６３】
また、錠剤カセット５００内での収納枚数が多くなるので、ＰＴＰ錠剤シート９００，９００，・・・の錠剤カセット５００への充填を頻繁に行う必要がなくなり、シート枚数が多量である処方が施されたときにも、このＰＴＰ錠剤シート９００，９００，・・・の錠剤カセット５００への充填のために払出作業を中断することがほとんどなくなる。
【００６４】
さらに、前記取り出しユニット４００は、この２枚ずつのセットにしたＰＴＰ錠剤シート９００，９００，・・・を、該セット単位で、前記錠剤カセット５００の外部に取り出すように構成したものであるので、ＰＴＰ錠剤シート９００，９００，・・・の錠剤カセット５００からの払出速度が速い。このため、シート枚数が多量である処方が施されたときにも、払出作業に時間がかかなくなる。
【００６５】
なお、上記実施形態では、左右に２台のカセット棚６００，６００を配置しているが、前後に配置することとしてもよいし、１台、或いは３台以上のカセット棚を配置することとしてもよい。その場合には、各キャリッジ、取り出しユニット等の台数もこれに対応したものとするのが作業効率の点から好ましい。
【００６６】
また、２台以上のカセット棚を配置する場合には、その一部を従来の調剤装置のように、ＰＴＰ錠剤シートを１枚ずつ錠剤カセットからチャックで取り出すように構成してもよい。その場合には、ＰＴＰ錠剤シートをカッティングユニットで所定の錠剤数にカットして調剤する、いわゆる端数処理を行うようにしてもよい。
【００６７】
また、上記実施形態では、複数の錠剤カセット５００に、１台の取り出しユニット４００を移動させて、当該錠剤カセット５００からＰＴＰ錠剤シートを払い出すようにしているが、各錠剤カセットと取り出しユニットとを１対１で対応させて設けてもよい。その場合は、取り出しユニットの構成が簡単化できる。
【００６８】
また、上記実施形態では、錠剤カセット５００から各ＰＴＰ錠剤シート９００，９００，・・・を２枚ずつのセット単位で払い出しているが、このセットの倍数単位で払い出してもよい。その場合には、さらに大量のＰＴＰ錠剤シート９００，９００，・・・を錠剤カセット５００から払い出すことができるようになり便利である。
【００６９】
また、ＰＴＰ錠剤シートを錠剤カセットからセット単位又はその倍数のセット単位で押し出す方式に代えて、ＰＴＰ錠剤シートを錠剤カセットからセット単位又はその倍数のセット単位で引き出す方式を採用することとしてもよい。
【００７０】
また、上記実施形態では、押出機構５５０にラック＆ピニオン方式に加えてゴムベルト＆ローラ方式を使用しているが、ラック＆ピニオン方式のみを用いて同様の機能を持たせることとしてもよい。その場合には、より簡単で安価な構成とすることができる。
【００７１】
また、上記実施形態では、錠剤カセット５００に、横向き姿勢のＰＴＰ錠剤シート９００，９００，・・・を２枚ずつのセットにして、上下方向に重ねて収納したものを例示しているが、本発明の適用範囲はこれに限定されず、錠剤カセットに、縦向き姿勢のＰＴＰ錠剤シート９００，９００，・・・を２枚ずつのセットにして前後方向に重ねて収納したものであってもよい。
【００７２】
また、上記実施形態では、ＰＴＰ錠剤シート９００，９００，・・・は、それぞれが耳部９３０を備えた、いわゆる耳付きシートとしたが、その一部又は全部が耳部９３０の無い、いわゆる耳なしシートであってもよい。その場合でも、耳付きシートの場合とほぼ同様に、錠剤カセット５００内にＰＴＰ錠剤シート９００，９００，・・・をほぼ隙間のなく詰め込むことができるから、錠剤カセット５００の小型化を図ることができるとともに、取り出しユニット４００でのＰＴＰ錠剤シート９００，９００，・・・のセット毎の取り出し時間がほぼ一定となるから、その取り出し作業が容易となり、ＰＴＰ錠剤シート９００，９００，・・・の払出速度が速くなる。
【００７３】
また、上記実施形態では、各錠剤カセット５００，５００，・・・は、カセット棚６００の棚板６０２上に、該各錠剤カセット５００，５００，・・・の幅方向に列設されているが、この棚板は静止した平板状のものに限定されず、例えば所定の軸心まわりに回転する円筒形状のものであってもよい。その場合には、取り出しユニット４００を、この回転する棚板上に搭載された各錠剤カセット５００，５００，・・・に対して相対移動させることで足りる。
【符号の説明】
【００７４】
１  調剤装置
１００  装置本体
４００  取り出しユニット
４３０  払出板
４４０  プッシャ
５００  錠剤カセット
５５０  押出機構
５５０１  第一スライド部材
５５１５  押出部材
６００  カセット棚
６０２  棚板
８００  搬送コンベアユニット
９００  ＰＴＰ錠剤シート（錠剤シートに相当する。）
９２０  ポケット
９３０  耳部
【先行技術文献】
【特許文献】
【００７５】
【特許文献１】特開平４−２６９９６０号公報
【特許文献２】実開平５−０５４２２３号公報
【図１】
2010207359.tif 000003
【図２】
2010207359.tif 000004
【図３】
2010207359.tif 000005
【図４】
2010207359.tif 000006
【図５】
2010207359.tif 000007
【図６】
2010207359.tif 000008
【図７】
2010207359.tif 000009